(57)【要約】【課題】パンチパッドユニットが大型化することなくパッド部材に十分な付勢力を付与することができ、しかも、パンチの先端に対するパッド部材の進退を円滑に行うことができるパンチパッドユニットを提供する。【解決手段】パンチ２の先端部が挿通自在の孔部１３を有して孔部の外側にスプリング１６の一端が当接するパッド板部１１と、パッド板部１１の周縁部からパンチ２の基端部に向かって延びるパッド胴部１２とを備えるパッド部材４を設ける。スプリング１６を、パッド胴部１２の内周面とパンチ２の外周面との間に形成したスプリング収容部１７に収容する。パッドケース５に、リテーナ３側の基端部に螺着してスプリング１６の他端が当接するスプリング支持部材１８を設ける。【選択図】図１
0003156821.tif 000002
【実用新案登録請求の範囲】
【請求項１】
パンチと、該パンチが保持されたリテーナと、パンチの先端部が挿通するパッド部材と、前記リテーナに取り付けられ、前記パッド部材を進退自在に保持する円筒状のパッドケースと、該パッドケースに収容され、前記パッド部材を前記パンチの先端方向に付勢するスプリングとを備えるパンチパッドユニットにおいて、
前記パッド部材は、パンチの先端部が挿通自在の孔部が形成され、該孔部の外側に前記スプリングの一端が当接する円盤状のパッド板部と、該パッド板部の周縁部から前記パンチの基端部に向かって延びる円筒状のパッド胴部とを備え、
該パッド胴部は、その内周面と前記パンチの外周面との間に前記スプリングを収容するスプリング収容部を備え、
前記パッドケースは、前記リテーナ側の基端部に螺着されて前記スプリングの他端が当接するスプリング支持部材とを備えることを特徴とするパンチパッドユニット。
【請求項２】
前記スプリング支持部材は、前記パンチが貫通するパンチ貫通孔と、該パンチ貫通孔と同心に形成され、前記スプリングの端部を受け入れて該スプリングをパンチから離間した位置に位置決めする環状の位置決め凹部とを備えることを特徴とする請求項１記載のパンチパッドユニット。
【考案の詳細な説明】
【技術分野】
【０００１】
本考案は、ワークに孔開け加工を施したパンチからワークを離反させるパッド部材を備えるパンチパッドユニットに関する。
【背景技術】
【０００２】
従来、パンチと、該パンチが保持されたリテーナと、パンチの先端部が挿通自在の筒状のパッド部材と、前記リテーナに取り付けられ、前記パッド部材を進退自在に保持する筒状のパッドケースと、該パッドケースに収容され、前記パッド部材に先端が当接して該パッド部材を前記パンチの先端方向に付勢するスプリングとを備えるパンチパッドユニットが知られている（例えば、特許文献１参照）。
【０００３】
この種のパンチパッドユニットにおいては、パッドケースの一部から外方に延出する連結部をリテーナにボルト締めすることにより、リテーナにパッドケースを固定してる。これにより、パッドケースの基端部がリテーナにより閉塞される。そして、スプリングの一端をパッド部材の基端に鍔状に張出すフランジ部に当接させ、スプリングの他端をリテーナに当接させることにより、パッド部材に付勢力が付与されるようになっている。
【先行技術文献】
【特許文献】
【０００４】
【特許文献１】特開２００５−１７７８２３号公報（図３）
【考案の概要】
【考案が解決しようとする課題】
【０００５】
上記従来のパンチパッドユニットによると、パッド部材の基端のフランジ部とリテーナとの間にスプリングを収容するために、スプリングの全長が比較的短く、パッド部材に十分な付勢力を付与することができない。そこで、パッド部材のフランジ部とリテーナとの距離を大として全長の比較的長いスプリングを収容できるようにすることが考えられるが、それに伴いパンチの全長も長くなるため、パンチパッドユニットの全長が大となる不都合がある。
【０００６】
また、上記従来のパンチパッドユニットでは、スプリングの他端がリテーナに直接に当接している。このため、スプリングの付勢力がパッド部材を介してパッドケースとリテーナとの間に付与される。そして、パッドケースの一側に一体に張出す連結部を介してリテーナにボルト締めされている場合、連結部の反対側のパッドケースが、スプリングの付勢力の影響でリテーナから離反し、パンチの先端に対するパッド部材の進退が円滑に行えなくなるおそれがある。
【０００７】
本考案は、上記の点に鑑み、パンチパッドユニットを長大化することなくパッド部材に十分な付勢力を付与することができ、しかも、パンチの先端に対するパッド部材の進退を円滑に行うことができるパンチパッドユニットを提供することを目的とする。
【課題を解決するための手段】
【０００８】
本考案は、パンチと、該パンチが保持されたリテーナと、パンチの先端部が挿通するパッド部材と、前記リテーナに取り付けられ、前記パッド部材を進退自在に保持する円筒状のパッドケースと、該パッドケースに収容され、前記パッド部材を前記パンチの先端方向に付勢するスプリングとを備えるパンチパッドユニットにおいて、前記パッド部材は、パンチの先端部が挿通自在の孔部が形成され、該孔部の外側に前記スプリングの一端が当接する円盤状のパッド板部と、該パッド板部の周縁部から前記パンチの基端部に向かって延びる円筒状のパッド胴部とを備え、該パッド胴部は、その内周面と前記パンチの外周面との間に前記スプリングを収容するスプリング収容部を備え、前記パッドケースは、前記リテーナ側の基端部に螺着されて前記スプリングの他端が当接するスプリング支持部材とを備えることを特徴とする。
【０００９】
本考案によれば、前記パッド胴部の内周面と前記パンチの外周面との間に前記スプリング収容部を設けたので、スプリングの全長を、前記パッド板部と前記スプリング支持部材との間の距離に対応して比較的長くすることができ、パンチパッドユニットの全長を大とすることなくパッド部材に十分な付勢力を付与することができる。
【００１０】
更に、本考案によれば、前記スプリング支持部材を前記パッドケースの基端部に螺着して、このスプリング支持部材にスプリングの他端が当接するようにしたので、スプリングの付勢力がリテーナに付与されることはない。従って、例えば、パッドケースが、その一側に形成された連結部を介してリテーナにボルト締めされる場合であっても、連結部の反対側のケースが、スプリングの付勢力の影響でリテーナから離反することはなく、パンチの先端に対するパッド部材の進退を円滑に行うことができる。
【００１１】
また、本発明においては、前記スプリング支持部材は、前記パンチが貫通するパンチ貫通孔と、該パンチ貫通孔と同心に形成され、前記スプリングの端部を受け入れて該スプリングをパンチから離間した位置に位置決めする環状の位置決め凹部とを備えることが好ましい。
【００１２】
位置決め凹部によって、スプリングがパンチの外周面から離間した位置に保持されるので、パンチの外周面とスプリングの内径側とが干渉することによるスプリングの損傷を確実に防止することができる。更に、スプリングの端部が位置決め凹部に収容されることにより、スプリング支持部材からパッド板部までの距離を増加させることができるので、より全長の長いスプリングを収容することもできる。
【図面の簡単な説明】
【００１３】
【図１】本考案の実施形態を示す説明的縦断面図。
【図２】図１のバッド部材が後退した状態を示す説明的縦断面図。
【図３】パッドケースの説明的平面図。
【図４】バッド部材の説明的平面図。
【考案を実施するための形態】
【００１４】
図１及び図２に示すように、本実施形態のパンチパッドユニット１は、パンチ２と、リテーナ３と、パッド部材４とを備えている。パッド部材４は、パッドケース５に保持されており、パッドケース５はボルト６によりリテーナ３に連結されている。パンチ２は図示しないワークに孔開け加工を施すものであり、リテーナ３は図示しない加工機に取り付け固定される。
【００１５】
リテーナ３は、パンチ保持孔７を備え、このパンチ保持孔７にパンチ２の基端部を挿着することによりパンチ２を保持している。また、リテーナ３は、前記ボルト６が螺合するボルト穴８を備えている。
【００１６】
パッドケース５は、リテーナ３に着座させる基端部の一部から外方に延びる連結部９を備えている。連結部９には、図３に示すように、前記ボルト６が貫通するボルト貫通孔１０が形成されている。パッドケース５は円筒状に形成され、内部にパッド部材４を保持している。
【００１７】
パッド部材４は、図１及び図２に示すように、パッド板部１１と、パッド板部１１に一体に連設されたパッド胴部１２とを備えている。パッド板部１１は、図４に示すように円盤状に形成され、その中央部には、パンチ２の先端部と略同径でパンチ２の先端部が挿通自在の孔部１３が形成されている。パッド胴部１２は、図１及び図２に示すように、パッド板部１１の周縁部からパンチ２の基端部に向かって延びて円筒状に形成されている。
【００１８】
パッド部材４は、パッド胴部１２の外周面がパッドケース５の内周面に摺動自在に当接し、基端部の外周に張出す鍔部１４が、パッドケース５の内周に形成された段部１５に係止されることにより、パッドケース５からの突出量が所定の寸法となるように規制される。
【００１９】
また、図１及び図２に示すように、パッド部材４のパッド胴部１２は、パンチ２の外方に離間して形成されている。これによって、パッド胴部の内周面とパンチの外周面との間には空隙が形成され、この空隙が、スプリング１６を収容するためのスプリング収容部１７とされている。
【００２０】
スプリング収容部１７に収容されたスプリング１６は、その上端がパッド板部１１に当接する。更に、パッドケース５の基端部はスプリング支持部材１８によって閉塞されており、スプリング収容部１７に収容されたスプリング１６は、その下端がスプリング支持部材１８に当接する。
【００２１】
スプリング支持部材１８は、その中央部（パッド板部１１の孔部１３に対応する位置）にパンチ２が貫通するパンチ貫通孔１９を備えて円形ブロック状に形成され、パッドケース５の基端部の内周に螺着されている。パンチ貫通孔１９は、パンチ２の胴部外径に合致する内径を有し、パンチ貫通孔１９に挿通させた際にはパンチ２の先端とパッド板部１１の孔部１３との間に高い同軸度が得られるようになっている。
【００２２】
また、スプリング支持部材１８は、上面にスプリング１６の下端部を受け入れてスプリング１６を位置決めする環状の位置決め凹部２０を備え、下面には、パッドケース５にスプリング支持部材１８を螺着するときに図示しない回転操作治具を係止する複数の治具係止穴２１を備えている。
【００２３】
位置決め凹部２０は、その外周内壁がスプリング１６の下端外周に当接してスプリング１６の横方向（スプリング支持部材１８の径方向）への位置ずれを抑止している。これにより、スプリング１６はパンチ２の外周面から離間した位置に確実に保持され、パンチ２の外周面とスプリング１６の内径側との干渉が防止できるので、図１に示すようにパンチ２の胴部に拡径された段差が設けられていても、この段差への接触によるスプリング１６の損傷を防止することができる。更に、位置決め凹部２０により、スプリング支持部材１８からパッド板部１１までの距離が延びるので、より全長の長いスプリング１６を収容することもできる。
【００２４】
そして、パッドケース５に螺着されたスプリング支持部材１８は、その回転によりパッドケース５に対して螺合する深度を調節してスプリング１６の弾性力を調節することもでき、これによってパッド部材４からワークに付与される荷重の調節が容易に行えるようになっている。
【００２５】
また、パッド胴部１２には、鍔部１４の一部を平坦に形成することによって、パッド胴部１２の外周面に設けた第１平坦面２２を備えている。パッドケース５の内周面の一部には、第１平坦面２２に対応する第２平坦面２３が形成されている。第１平坦面２２と第２平坦面２３とが互いに当接することにより、パッド胴部１２がその周方向に回り止めされる。
【００２６】
以上のように構成されたパンチパッドユニット１は、図１に示すように、スプリング１６の付勢によりパッド部材４が所定の位置に保持され、図２に示すように、スプリング１６の付勢に抗してパッド部材４が押し下げられて後退すると、パッド板部１１の孔部１３からパンチ２の先端部が露出する。これにより、図示しないワークにパンチ２による孔開け加工が施されたとき、スプリング１６の付勢によりパッド板部１１が進出してワークをパンチ２から離反させる。
【００２７】
このとき、スプリング１６の付勢力は常にスプリング支持部材１８により受けられる。スプリング支持部材１８はパッドケース５に一体的に螺着されていることにより、スプリング１６の付勢力がリテーナ３に作用せず、パッド部材４を高精度に進退させることができる。
【００２８】
また、パッド胴部１２の内側に形成されるスプリング収容部１７にスプリング１６を収容したので、パッド板部１１とスプリング支持部材１８との間に形成される比較的距離の長い空間に対応させて、スプリング１６の全長を長くすることができる。これによれば、パンチ２やパッドケース５の全長を長くすることなく付勢力の大きなスプリング１６を採用することができる。
【符号の説明】
【００２９】
１…パンチパッドユニット、２…パンチ、３…リテーナ、４…パッド部材、５…パッドケース、１１…パッド板部、１２…パッド胴部、１６…スプリング、１７…スプリング収容部、１８…スプリング支持部材、１９…パンチ貫通孔、２０…位置決め凹部。
【図１】
0003156821.tif 000003
【図２】
0003156821.tif 000004
【図３】
0003156821.tif 000005
【図４】
0003156821.tif 000006